(57)【要約】本発明は、質の高いコンテンツを、容易に取得できるようにした情報処理装置に関する。ＷＷＷブラウザ部８１は、ユーザから入力されたＷｅｂページのキーワードなどを含む検索要求情報を評価・検索サーバ７に送信する。評価・検索サーバ７の検索部９２は、送受信制御部９１を介して検索要求情報を受信し、通知されたキーワードに対応するＷｅｂページをＷＷＷデータベース９６から検索する。検索部９２は、検索結果として取得したＷｅｂページのアクセス情報であるＵＲＬを評価部９５に通知し、Ｗｅｂページ毎の評価値の算出を依頼する。検索部９２は、検索結果として取得したＷｅｂページのアクセス情報と、評価部９５から通知されたＷｅｂページ毎の評価値から、評価付き検索結果情報を生成し、送受信制御部９１を介してＷＷＷブラウザ部８１に送信する。
2002046961.tif 000002
【特許請求の範囲】
【請求項１】
コンテンツに対するユーザの視聴行為を表わす視聴行為情報を収集する視聴行為情報収集手段と、
前記視聴行為情報収集手段により収集された前記視聴行為情報に基づいて、ユーザ毎の前記コンテンツに対する評価値を演算する評価演算手段と
を備えることを特徴とする情報処理装置。
【請求項２】
前記視聴行為情報収集手段は、ユーザにより前記コンテンツが出力される時間を表わす情報を前記視聴行為情報として収集する
ことを特徴とする請求の範囲第１項に記載の情報処理装置。
【請求項３】
前記視聴行為情報収集手段は、前記コンテンツが出力される出力装置に対する、前記ユーザの操作の内容を表わす操作情報を前記視聴行為情報として収集する
ことを特徴とする請求の範囲第１項に記載の情報処理装置。
【請求項４】
前記視聴行為情報収集手段は、ユーザによる、前記コンテンツを記録することを指示する前記操作情報を収集する
ことを特徴とする請求の範囲第３項に記載の情報処理装置。
【請求項５】
前記評価演算手段は、前記コンテンツに対する複数のユーザの評価値の平均値を演算する
ことを特徴とする請求の範囲第１項に記載の情報処理装置。
【請求項６】
前記評価演算手段により演算された前記評価値を表わす評価情報を記憶する評価情報記憶手段と、
前記評価情報記憶手段により記憶された前記評価情報を提供する評価情報提供手段と
をさらに備えることを特徴とする請求の範囲第１項に記載の情報処理装置。
【請求項７】
前記評価情報記憶手段は、前記評価値が高いものから順に、所定の数の前記評価情報からなるユーザ毎の評価情報リストを記憶し、
前記評価情報提供手段は、要求に応じて、前記評価情報記憶手段により記憶されている前記評価情報リストのうち、対応するものをユーザ毎に提供する
ことを特徴とする請求の範囲第６項に記載の情報処理装置。
【請求項８】
前記評価情報記憶手段により記憶されている、注目している注目ユーザの評価情報リストと、他のユーザの評価情報リストに基づいて、前記注目ユーザと前記他のユーザの嗜好の類似度を演算する類似度演算手段をさらに備え、
前記評価演算手段は、前記類似度演算手段により演算された前記類似度に応じて、所定のコンテンツに対する前記他のユーザの評価値に重み付けし、得られた値を積算することにより、前記所定のコンテンツに対する前記注目ユーザの評価値を演算する
ことを特徴とする請求の範囲第７項に記載の情報処理装置。
【請求項９】
前記評価情報記憶手段は、前記評価演算手段により演算された、Ｗｅｂページ情報に対する前記評価情報を記憶し、
前記評価情報提供手段は、要求に応じて、所定の条件に対応するＷｅｂページ情報を指定するＵＲＬとともに、前記条件に対応するＷｅｂページ情報に対するユーザ毎の前記評価情報を提供する
ことを特徴とする請求の範囲第６項に記載の情報処理装置。
【請求項１０】
前記視聴行為情報収集手段は、ユーザにより前記Ｗｅｂページ情報が出力される時間を表わす情報を前記視聴行為情報として収集する
ことを特徴とする請求の範囲第９項に記載の情報処理装置。
【請求項１１】
前記視聴行為情報収集手段は、ユーザによる、前記Ｗｅｂページ情報をブックマークに登録することを指示する情報を前記視聴行為情報として収集する
ことを特徴とする請求の範囲第９項に記載の情報処理装置。
【請求項１２】
前記視聴行為情報収集手段は、ユーザによる、前記Ｗｅｂページ情報を印刷することを指示する情報を前記視聴行為情報として収集する
ことを特徴とする請求の範囲第９項に記載の情報処理装置。
【請求項１３】
前記視聴行為情報収集手段は、ユーザによる、前記Ｗｅｂページ情報を保存することを指示する情報を前記視聴行為情報として収集する
ことを特徴とする請求の範囲第９項に記載の情報処理装置。
【請求項１４】
前記視聴行為情報収集手段は、放送コンテンツを受信し、それを再生する受信再生装置において行われる、前記放送コンテンツに対するユーザの視聴行為を表わす情報を前記視聴行為情報として収集し、
前記評価演算手段は、前記視聴行為情報収集手段により収集された前記視聴行為情報に基づいて、前記放送コンテンツに対するユーザ毎の前記評価値を演算する
ことを特徴とする請求の範囲第１項に記載の情報処理装置。
【請求項１５】
前記視聴行為情報収集手段は、前記放送コンテンツのチャンネルを切り替えるタイミングを表わす切り替えタイミング情報を前記視聴行為情報として収集し、
前記評価演算手段は、前記切り替えタイミング情報に基づいて、前記評価値を演算する
ことを特徴とする請求の範囲第１４項に記載の情報処理装置。
【請求項１６】
前記評価演算手段は、前記切り替えタイミング情報により、所定のコマーシャルが放送された直後にチャンネルが切り替えられたことが表わされているとき、前記コマーシャルが放送される直前に放送されていた前記放送コンテンツに対する前記評価値を所定の値だけ高くする
ことを特徴とする請求の範囲第１５項に記載の情報処理装置。
【請求項１７】
前記評価演算手段は、前記切り替えタイミング情報により、チャンネルが連続して切り替えられた後に所定の放送コンテンツが選択されたことが表わされているとき、選択された前記放送コンテンツに対する前記評価値を所定の値だけ高くする
ことを特徴とする請求の範囲第１５項に記載の情報処理装置。
【請求項１８】
前記視聴行為情報収集手段は、所定の記録媒体に記憶されている記録媒体コンテンツを再生する再生装置において行われる、前記記録媒体コンテンツに対するユーザの操作内容を表わす情報を前記視聴行為情報として収集し、
前記評価演算手段は、前記視聴行為情報収集手段により収集された、前記視聴行為情報に基づいて、前記記録媒体コンテンツに対するユーザ毎の前記評価値を演算する
ことを特徴とする請求の範囲第１項に記載の情報処理装置。
【請求項１９】
前記評価演算手段は、前記視聴行為情報収集手段により収集された、前記記録媒体コンテンツの再生速度を表わす前記視聴行為情報に基づいて、前記評価値を演算する
ことを特徴とする請求の範囲第１８項に記載の情報処理装置。
【請求項２０】
前記評価演算手段は、前記視聴行為情報により、前記記録媒体コンテンツの全体、または、その所定の部分が繰り返し再生されていることが表わされているとき、前記評価値を所定の値だけ高くする
ことを特徴とする請求の範囲第１８項に記載の情報処理装置。
【請求項２１】
前記評価演算手段は、前記視聴行為情報により、前記記録媒体コンテンツの所定の部分が早送りされたことが表わされているとき、前記評価値を所定の値だけ高くする
ことを特徴とする請求の範囲第１８項に記載の情報処理装置。
【請求項２２】
前記評価演算手段は、前記視聴行為情報により、前記記録媒体コンテンツが一時停止されたことが表わされているとき、前記評価値を所定の値だけ高くする
ことを特徴とする請求の範囲第１８項に記載の情報処理装置。
【請求項２３】
前記評価演算手段は、前記視聴行為情報により、前記記録媒体コンテンツが再生中において停止され、その後、停止された位置から再生されたことが表わされているとき、前記評価値を所定の値だけ高くする
ことを特徴とする請求の範囲第１８項に記載の情報処理装置。
【請求項２４】
コンテンツに対するユーザの視聴行為を表わす視聴行為情報を収集する視聴行為情報収集ステップと、
前記視聴行為情報収集ステップの処理により収集された前記視聴行為情報に基づいて、ユーザ毎の前記コンテンツに対する評価値を演算する評価演算ステップと
を含むことを特徴とする情報処理方法。
【請求項２５】
コンテンツに対するユーザの視聴行為を表わす視聴行為情報の収集を制御する視聴行為情報収集制御ステップと、
前記視聴行為情報収集制御ステップの処理により収集された前記視聴行為情報に基づいて、ユーザ毎の前記コンテンツに対する評価値を演算する評価演算ステップと
を含むことを特徴とするコンピュータが読み取り可能なプログラムが記録されている記録媒体。
【請求項２６】
コンテンツを出力する出力手段と、
前記出力手段により出力された前記コンテンツに対する入力に基づいて、ユーザの視聴行為を表わす視聴行為情報を生成する視聴行為情報生成手段と、
前記視聴行為情報生成手段により生成された前記視聴行為情報を他の情報処理装置に送信する通信手段と
を備えることを特徴とする情報処理装置。
【請求項２７】
前記視聴行為情報生成手段は、前記出力手段により前記コンテンツが出力される時間を表わす情報を前記視聴行為情報として生成する
ことを特徴とする請求の範囲第２６項に記載の情報処理装置。
【請求項２８】
前記視聴行為情報生成手段は、ユーザの操作内容を表わす操作情報に基づいて、前記視聴行為情報を生成する
ことを特徴とする請求の範囲第２６項に記載の情報処理装置。
【請求項２９】
前記視聴行為情報生成手段は、前記コンテンツを記録することを指示する前記操作情報に基づいて、前記視聴行為情報を生成する
ことを特徴とする請求の範囲第２８項に記載の情報処理装置。
【請求項３０】
前記他の情報処理装置により管理され、コンテンツに対する評価である評価値を表わす評価情報の送信を要求する要求手段をさらに備える
ことを特徴とする請求の範囲第２６項に記載の情報処理装置。
【請求項３１】
前記要求手段は、前記評価値が高いものから順に、所定の数の前記評価情報からなる評価情報リストの送信を前記他の情報処理装置に対して要求する
ことを特徴とする請求の範囲第３０項に記載の情報処理装置。
【請求項３２】
前記要求手段は、前記コンテンツとしてのＷｅｂページ情報に関する所定の条件を通知するとともに、前記評価情報の送信を前記他の情報処理装置に対して要求し、
前記通信手段は、前記他の情報処理装置から送信される、前記条件に対応する前記Ｗｅｂページ情報を指定するＵＲＬとともに、前記条件に対応するＷｅｂページ情報のそれぞれの前記評価情報を受信し、
前記出力手段は、前記通信手段により受信された前記ＵＲＬと前記評価情報を出力する
ことを特徴とする請求の範囲第３０項に記載の情報処理装置。
【請求項３３】
前記視聴行為情報生成手段は、前記出力手段により前記Ｗｅｂページ情報が出力される時間を表わす情報を前記視聴行為情報として生成する
ことを特徴とする請求の範囲第３２項に記載の情報処理装置。
【請求項３４】
前記視聴行為情報生成手段は、ユーザによる、前記Ｗｅｂページ情報をブックマークに登録することを指示する情報に基づいて前記視聴行為情報を生成する
ことを特徴とする請求の範囲第３２項に記載の情報処理装置。
【請求項３５】
前記視聴行為情報収集手段は、ユーザによる、前記Ｗｅｂページ情報を印刷することを指示する情報に基づいて前記視聴行為情報を生成する
ことを特徴とする請求の範囲第３２項に記載の情報処理装置。
【請求項３６】
前記視聴行為情報収集手段は、ユーザによる、前記Ｗｅｂページ情報を保存することを指示する情報に基づいて前記視聴行為情報を生成する
ことを特徴とする請求の範囲第３２項に記載の情報処理装置。
【請求項３７】
放送コンテンツを取得する取得手段と、
前記取得手段により取得された前記放送コンテンツのチャンネルを切り替えるタイミングを表わす切り替えタイミング情報に基づいて、前記放送コンテンツに対する評価値を演算する評価演算手段と
をさらに備え、
前記出力手段は、前記取得手段により取得された前記放送コンテンツを表示し、
前記視聴行為生成手段は、前記評価演算手段により演算された前記評価値を含む前記視聴行為情報を生成する
ことを特徴とする請求の範囲第２６項に記載の情報処理装置。
【請求項３８】
前記評価演算手段は、前記切り替えタイミング情報により、所定のコマーシャルが放送された直後にチャンネルが切り替えられたことが表わされているとき、前記コマーシャルが放送される直前に放送されていた前記放送コンテンツに対する前記評価値を所定の値だけ高くする
ことを特徴とする請求の範囲第３７項に記載の情報処理装置。
【請求項３９】
前記評価演算手段は、前記切り替えタイミング情報により、チャンネルが連続して切り替えられた後に所定の放送コンテンツが選択されたことが表わされているとき、選択された前記放送コンテンツに対する前記評価値を所定の値だけ高くする
ことを特徴とする請求の範囲第３７項に記載の情報処理装置。
【請求項４０】
所定の記録媒体に記憶されている記録媒体コンテンツを再生する再生手段と、
前記再生手段により再生された前記記録媒体コンテンツに対するユーザの操作の内容を表わす操作情報に基づいて、前記記録媒体コンテンツに対する評価値を演算する評価演算手段と
をさらに備え、
前記出力手段は、前記再生手段により再生された前記記録媒体コンテンツを出力し、
前記視聴行為情報生成手段は、前記評価演算手段により演算された前記評価値を含む前記視聴行為情報を生成する
ことを特徴とする請求の範囲第２６項に記載の情報処理装置。
【請求項４１】
前記評価演算手段は、前記記録媒体コンテンツの再生速度を表わす前記操作情報に基づいて、前記評価値を演算する
ことを特徴とする請求の範囲第４０項に記載の情報処理装置。
【請求項４２】
前記評価演算手段は、前記操作情報により、前記記録媒体コンテンツの全体、または、その所定の部分が繰り返し再生されたことが表わされているとき、前記評価値を所定の値だけ高くする
ことを特徴とする請求の範囲第４０項に記載の情報処理装置。
【請求項４３】
前記評価演算手段は、前記操作情報により、前記記録媒体コンテンツの所定の部分が早送りされたことが表わされているとき、前記評価値を所定の値だけ高くする
ことを特徴とする請求の範囲第４０項に記載の情報処理装置。
【請求項４４】
前記評価演算手段は、前記操作情報により、前記記録媒体コンテンツが一時停止されたことが表わされているとき、前記評価値を所定の値だけ高くする
ことを特徴とする請求の範囲第４０項に記載の情報処理装置。
【請求項４５】
前記評価演算手段は、前記操作情報により、前記記録媒体コンテンツが再生中において停止され、その後、停止された位置から、再生されたことが表わされているとき、前記評価値を所定の値だけ高くする
ことを特徴とする請求の範囲第４０項に記載の情報処理装置。
【請求項４６】
コンテンツを出力する出力ステップと、
前記出力ステップの処理により出力された前記コンテンツに対する入力に基づいて、ユーザの視聴行為を表わす視聴行為情報を生成する視聴行為情報生成ステップと、
前記視聴行為情報生成ステップの処理により生成された前記視聴行為情報を他の情報処理装置に送信する通信ステップと
を備えることを特徴とする情報処理方法。
【請求項４７】
コンテンツの出力を制御する出力制御ステップと、
前記出力制御ステップの処理により出力された前記コンテンツに対する入力に基づいて、ユーザの視聴行為を表わす視聴行為情報を生成する視聴行為情報生成ステップと、
前記視聴行為情報生成ステップの処理により生成された前記視聴行為情報の他の情報処理装置に対する送信を制御する通信制御ステップと
を備えることを特徴とするコンピュータが読み取り可能なプログラムが記録されている記録媒体。
【発明の詳細な説明】
技術分野
本発明は、情報処理装置に関し、特に、より質の高いコンテンツを、容易に取得できるようにする情報処理装置に関する。
背景技術
近年、コンピュータやインターネット技術の発達に伴い、個人でも、容易に情報（コンテンツ）を発信することができるようになってきており、利用する側としても、利用できるコンテンツの量が飛躍的に高まってきている。
しかしながら、コンテンツの量が飛躍的に高まり、自由に利用できるとしても、質の悪いコンテンツも少なからず存在する。
そこで、コンテンツの質を評価し、利用するユーザに提供することが考えられるが、人間が膨大な量のコンテンツの内容を確認して評価することは非常に手間がかかる。また、人間が評価したとしても、その評価は、評価した人の好みに左右される。
発明の開示
本発明はこのような状況に鑑みてなされたものであり、ユーザに応じた評価情報を提供することにより、ユーザが質の高いコンテンツを容易に取得することができるようにしたものである。
本発明の第１の情報処理装置は、コンテンツに対するユーザの視聴行為を表わす視聴行為情報を収集する視聴行為情報収集手段と、視聴行為情報収集手段により収集された視聴行為情報に基づいて、ユーザ毎のコンテンツに対する評価値を演算する評価演算手段とを備えることを特徴とする。
視聴行為情報収集手段は、ユーザによりコンテンツが出力される時間を表わす情報を視聴行為情報として収集するようにすることができる。
視聴行為情報収集手段は、コンテンツが出力される出力装置に対する、ユーザの操作の内容を表わす操作情報を視聴行為情報として収集するようにすることができる。
視聴行為情報収集手段は、ユーザによる、コンテンツを記録することを指示する操作情報を収集するようにすることができる。
評価演算手段は、コンテンツに対する複数のユーザの評価値の平均値を演算するようにすることができる。
評価演算手段により演算された評価値を表わす評価情報を記憶する評価情報記憶手段と、評価情報記憶手段により記憶された評価情報を提供する評価情報提供手段とをさらに備えるようにすることができる。
評価情報記憶手段は、評価値が高いものから順に、所定の数の評価情報からなるユーザ毎の評価情報リストを記憶し、評価情報提供手段は、要求に応じて、評価情報記憶手段により記憶されている評価情報リストのうち、対応するものをユーザ毎に提供するようにすることができる。
評価情報記憶手段により記憶されている、注目している注目ユーザの評価情報リストと、他のユーザの評価情報リストに基づいて、注目ユーザと他のユーザの嗜好の類似度を演算する類似度演算手段をさらに備え、評価演算手段は、類似度演算手段により演算された類似度に応じて、所定のコンテンツに対する他のユーザの評価値に重み付けし、得られた値を積算することにより、所定のコンテンツに対する注目ユーザの評価値を演算するようにすることができる。
評価情報記憶手段は、評価演算手段により演算された、Ｗｅｂページ情報に対する評価情報を記憶し、評価情報提供手段は、要求に応じて、所定の条件に対応するＷｅｂページ情報を指定するＵＲＬとともに、条件に対応するＷｅｂページ情報に対するユーザ毎の評価情報を提供するようにすることができる。
視聴行為情報収集手段は、ユーザによりＷｅｂページ情報が出力される時間を表わす情報を視聴行為情報として収集するようにすることができる。
視聴行為情報収集手段は、ユーザによる、Ｗｅｂページ情報をブックマークに登録することを指示する情報を視聴行為情報として収集するようにすることができる。
視聴行為情報収集手段は、ユーザによる、Ｗｅｂページ情報を印刷することを指示する情報を視聴行為情報として収集するようにすることができる。
視聴行為情報収集手段は、ユーザによる、Ｗｅｂページ情報を保存することを指示する情報を視聴行為情報として収集するようにすることができる。
視聴行為情報収集手段は、放送コンテンツを受信し、それを再生する受信再生装置において行われる、放送コンテンツに対するユーザの視聴行為を表わす情報を視聴行為情報として収集し、評価演算手段は、視聴行為情報収集手段により収集された視聴行為情報に基づいて、放送コンテンツに対するユーザ毎の評価値を演算するようにすることができる。
視聴行為情報収集手段は、放送コンテンツのチャンネルを切り替えるタイミングを表わす切り替えタイミング情報を視聴行為情報として収集し、評価演算手段は、切り替えタイミング情報に基づいて、評価値を演算するようにすることができる。
評価演算手段は、切り替えタイミング情報により、所定のコマーシャルが放送された直後にチャンネルが切り替えられたことが表わされているとき、コマーシャルが放送される直前に放送されていた放送コンテンツに対する評価値を所定の値だけ高くするようにすることができる。
評価演算手段は、切り替えタイミング情報により、チャンネルが連続して切り替えられた後に所定の放送コンテンツが選択されたことが表わされているとき、選択された放送コンテンツに対する評価値を所定の値だけ高くするようにすることができる。
視聴行為情報収集手段は、所定の記録媒体に記憶されている記録媒体コンテンツを再生する再生装置において行われる、記録媒体コンテンツに対するユーザの操作内容を表わす情報を視聴行為情報として収集し、評価演算手段は、視聴行為情報収集手段により収集された、視聴行為情報に基づいて、記録媒体コンテンツに対するユーザ毎の評価値を演算するようにすることができる。
評価演算手段は、視聴行為情報収集手段により収集された、記録媒体コンテンツの再生速度を表わす視聴行為情報に基づいて、評価値を演算するようにすることができる。
評価演算手段は、視聴行為情報により、記録媒体コンテンツの全体、または、その所定の部分が繰り返し再生されていることが表わされているとき、評価値を所定の値だけ高くするようにすることができる。
評価演算手段は、視聴行為情報により、記録媒体コンテンツの所定の部分が早送りされたことが表わされているとき、評価値を所定の値だけ高くするようにすることができる。
評価演算手段は、視聴行為情報により、記録媒体コンテンツが一時停止されたことが表わされているとき、評価値を所定の値だけ高くするようにすることができる。
評価演算手段は、視聴行為情報により、記録媒体コンテンツが再生中において停止され、その後、停止された位置から再生されたことが表わされているとき、評価値を所定の値だけ高くするようにすることができる。
本発明の第１の情報処理装置の情報処理方法は、コンテンツに対するユーザの視聴行為を表わす視聴行為情報を収集する視聴行為情報収集ステップと、視聴行為情報収集ステップの処理により収集された視聴行為情報に基づいて、ユーザ毎のコンテンツに対する評価値を演算する評価演算ステップとを含むことを特徴とする。
本発明の第１の記録媒体に記録されているプログラムは、コンテンツに対するユーザの視聴行為を表わす視聴行為情報の収集を制御する視聴行為情報収集制御ステップと、視聴行為情報収集制御ステップの処理により収集された視聴行為情報に基づいて、ユーザ毎のコンテンツに対する評価値を演算する評価演算ステップとを含むことを特徴とする。
本発明の第２の情報処理装置は、コンテンツを出力する出力手段と、出力手段により出力されたコンテンツに対する入力に基づいて、ユーザの視聴行為を表わす視聴行為情報を生成する視聴行為情報生成手段と、視聴行為情報生成手段により生成された視聴行為情報を他の情報処理装置に送信する通信手段とを備えることを特徴とする。
視聴行為情報生成手段は、出力手段によりコンテンツが出力される時間を表わす情報を視聴行為情報として生成するようにすることができる。
視聴行為情報生成手段は、ユーザの操作内容を表わす操作情報に基づいて、視聴行為情報を生成するようにすることができる。
視聴行為情報生成手段は、コンテンツを記録することを指示する操作情報に基づいて、視聴行為情報を生成するようにすることができる。
他の情報処理装置により管理され、コンテンツに対する評価である評価値を表わす評価情報の送信を要求する要求手段をさらに備えるようにすることができる。
要求手段は、評価値が高いものから順に、所定の数の評価情報からなる評価情報リストの送信を他の情報処理装置に対して要求するようにすることができる。
要求手段は、コンテンツとしてのＷｅｂページ情報に関する所定の条件を通知するとともに、評価情報の送信を他の情報処理装置に対して要求し、通信手段は、他の情報処理装置から送信される、条件に対応するＷｅｂページ情報を指定するＵＲＬとともに、条件に対応するＷｅｂページ情報のそれぞれの評価情報を受信し、出力手段は、通信手段により受信されたＵＲＬと評価情報を出力するようにすることができる。
視聴行為情報生成手段は、出力手段によりＷｅｂページ情報が出力される時間を表わす情報を視聴行為情報として生成するようにすることができる。
視聴行為情報生成手段は、ユーザによる、Ｗｅｂページ情報をブックマークに登録することを指示する情報に基づいて視聴行為情報を生成するようにすることができる。
視聴行為情報収集手段は、ユーザによる、Ｗｅｂページ情報を印刷することを指示する情報に基づいて視聴行為情報を生成するようにすることができる。
視聴行為情報収集手段は、ユーザによる、Ｗｅｂページ情報を保存することを指示する情報に基づいて視聴行為情報を生成するようにすることができる。
放送コンテンツを取得する取得手段と、取得手段により取得された放送コンテンツのチャンネルを切り替えるタイミングを表わす切り替えタイミング情報に基づいて、放送コンテンツに対する評価値を演算する評価演算手段とをさらに備え、出力手段は、取得手段により取得された放送コンテンツを表示し、視聴行為生成手段は、評価演算手段により演算された評価値を含む視聴行為情報を生成するようにすることができる。
評価演算手段は、切り替えタイミング情報により、所定のコマーシャルが放送された直後にチャンネルが切り替えられたことが表わされているとき、コマーシャルが放送される直前に放送されていた放送コンテンツに対する評価値を所定の値だけ高くするようにすることができる。
評価演算手段は、切り替えタイミング情報により、チャンネルが連続して切り替えられた後に所定の放送コンテンツが選択されたことが表わされているとき、選択された放送コンテンツに対する評価値を所定の値だけ高くするようにすることができる。
所定の記録媒体に記憶されている記録媒体コンテンツを再生する再生手段と、再生手段により再生された記録媒体コンテンツに対するユーザの操作の内容を表わす操作情報に基づいて、記録媒体コンテンツに対する評価値を演算する評価演算手段とをさらに備え、出力手段は、再生手段により再生された記録媒体コンテンツを出力し、視聴行為情報生成手段は、評価演算手段により演算された評価値を含む視聴行為情報を生成するようにすることができる。
評価演算手段は、記録媒体コンテンツの再生速度を表わす操作情報に基づいて、評価値を演算するようにすることができる。
評価演算手段は、操作情報により、記録媒体コンテンツの全体、または、その所定の部分が繰り返し再生されたことが表わされているとき、評価値を所定の値だけ高くするようにすることができる。
評価演算手段は、操作情報により、記録媒体コンテンツの所定の部分が早送りされたことが表わされているとき、評価値を所定の値だけ高くするようにすることができる。
評価演算手段は、操作情報により、記録媒体コンテンツが一時停止されたことが表わされているとき、評価値を所定の値だけ高くするようにすることができる。
評価演算手段は、操作情報により、記録媒体コンテンツが再生中において停止され、その後、停止された位置から、再生されたことが表わされているとき、評価値を所定の値だけ高くするようにすることができる。
本発明の第２の情報処理装置の情報処理方法は、コンテンツを出力する出力ステップと、出力ステップの処理により出力されたコンテンツに対する入力に基づいて、ユーザの視聴行為を表わす視聴行為情報を生成する視聴行為情報生成ステップと、視聴行為情報生成ステップの処理により生成された視聴行為情報を他の情報処理装置に送信する通信ステップとを備えることを特徴とする。
本発明の第２の記録媒体に記録されているプログラムは、コンテンツの出力を制御する出力制御ステップと、出力制御ステップの処理により出力されたコンテンツに対する入力に基づいて、ユーザの視聴行為を表わす視聴行為情報を生成する視聴行為情報生成ステップと、視聴行為情報生成ステップの処理により生成された視聴行為情報の他の情報処理装置に対する送信を制御する通信制御ステップとを備えることを特徴とする。
本発明の第１の情報処理装置および方法、並びに記録媒体に記録されているプログラムにおいては、コンテンツに対するユーザの視聴行為を表わす視聴行為情報が収集され、収集された視聴行為情報に基づいて、ユーザ毎のコンテンツに対する評価値が演算される。
本発明の第２の情報処理装置および方法、並びに記録媒体に記録されているプログラムにおいては、コンテンツが出力され、出力されたコンテンツに対する入力に基づいて、ユーザの視聴行為を表わす視聴行為情報が生成される。また、生成された視聴行為情報が他の情報処理装置に送信される。
発明を実施するための最良の形態
図１は、本発明を適用したネットワークシステムの構成例を示している。
パーソナルコンピュータ１は、公衆回線網４に接続されており、ＴＣＰ／ＩＰ（Ｔｒａｎｓｍｉｓｓｉｏｎ　Ｃｏｎｔｒｏｌ　Ｐｒｏｔｏｃｏｌ／Ｉｎｔｅｒｎｅｔ　Ｐｒｏｔｏｃｏｌ）のプロトコルにしたがって、公衆回線網４、およびアクセスサーバ６を介して、インターネット５に接続されている多数のＷＷＷ（Ｗｏｒｌｄ　Ｗｉｄｅ　Ｗｅｂ）サーバ８−１乃至８−Ｎ（以下、ＷＷＷサーバ８−１乃至８−Ｎのそれぞれを個々に区別する必要がない場合、まとめてＷＷＷサーバ８と称する）に、アクセスすることができるようになされている。そのため、ユーザは、パーソナルコンピュータ１を利用して、ＷＷＷサーバ８に記憶されている様々なＷｅｂページとしてのＨＴＭＬ（Ｈｙｐｅｒ　Ｔｅｘｔ　Ｍａｒｋｕｐ　Ｌａｎｇｕａｇｅ）形式のファイルを利用することができる。
また、ユーザは、携帯電話機２を利用しても、基地局３と無線通信をすることによりＷＷＷサーバ８にアクセスすることができる。
基地局３は、通信サービスの提供エリアを所望の大きさに分割したセル内にそれぞれ設置された固定無線局であり、移動無線局である携帯電話機２は、それが存在するセルを担当する基地局３に無線接続されるようになっている。
なお、携帯電話機２と基地局３の間では、例えば、Ｗ−ＣＤＭＡ（Ｗｉｄｅｂａｎｄ−Ｃｏｄｅ　Ｄｉｖｉｓｉｏｎ　Ｍｕｌｔｉｐｌｅ　Ａｃｃｅｓｓ）と呼ばれる符号分割多元接続方式によって無線通信が行われるようになっており、これにより、２ＧＨｚの周波数帯域を使用して、最大で２Ｍｂｐｓのデータ転送速度で、大容量のデータを高速にやりとりすることができるようになっている。このように、高速かつ大容量のデータ通信が可能であることにより、ユーザは、携帯電話機２を利用して、音声通話の他、電子メール、ＷＷＷサーバ８に記憶されているＷｅｂページの閲覧、画像の送受信等の様々なデータのやりとりを行うことができるようになっている。
基地局３は、有線回線を介して、公衆回線網４に接続されており、公衆回線網４には、インターネット５、図示しない多くの加入者有線端末、コンピュータネットワーク、企業内ネットワーク等が接続されている。さらに、公衆回線網４には、インターネットサービスプロバイダが保有するアクセスサーバ６も接続されている。
アクセスサーバ６は、いわゆるダイヤルアップ接続による、インターネット５への接続サービスを提供する。
評価・検索サーバ７は、インターネット５に接続されており、ＷＷＷサーバ８に記憶されているＷｅｂページの検索サーバとしての機能を有している。例えば、評価・検索サーバ７は、いわゆるディレクトリ型の検索サーバとして機能するために、ＷｅｂページのＵＲＬ（Ｕｎｉｆｏｒｍ　Ｒｅｓｏｕｒｃｅ　Ｌｏｃａｔｏｒ）などのアクセス情報を階層構造にカテゴリ分類して蓄積しており、ユーザがパーソナルコンピュータ１などを利用して通知したキーワードなどに基づいて、Ｗｅｂページを検索する。また、評価・検索サーバ７は、いわゆるロボット型の検索サーバとして機能するようにすることもできる。その場合、評価・検索サーバ７に記録されているロボットプログラムは、所定時間毎にＷＷＷサーバ８のＷｅｂページに関する情報を収集し、その結果をデータベース化して記憶する。
さらに、評価・検索サーバ７は、ユーザから通知されたキーワードなどに基づいてＷｅｂページを検索し、その検索結果を通知するとともに、検索結果として取得したＷｅｂページ毎の評価情報をユーザに提供する。例えば、検索結果のＷｅｂページ毎に質の評価値が示されるため、ユーザは、無用なＷｅｂページを閲覧する必要がなくなる。
管理制御装置９は、公衆回線網４に接続されており、パーソナルコンピュータ１や携帯電話機２を利用するユーザに対する通話料金等の課金処理を行う。
図２は、図１のパーソナルコンピュータ１の内部の構成例を示す図である。
ＣＰＵ（Ｃｅｎｔｒａｌ　Ｐｒｏｃｅｓｓｉｎｇ　Ｕｎｉｔ）２１には、バス２４を介して、入出力インタフェース２５が接続されている。ＣＰＵ２１は、ユーザによって、キーボードや、マウス、マイク等で構成される入力部２６が操作され、入出力インタフェース２５を介して指令が入力されることに応じて、ＲＯＭ（Ｒｅａｄ　Ｏｎｌｙ　Ｍｅｍｏｒｙ）２２に格納されているプログラムをＲＡＭ（Ｒａｎｄｏｍ　Ａｃｃｅｓｓ　Ｍｅｍｏｒｙ）２３に展開し、実行する。
また、ＣＰＵ２１は、記憶部２８に格納されているプログラム、ＷＷＷサーバ８からインターネット５、アクセスサーバ６、および公衆回線網４を介して転送され、通信部２９で受信されて記憶部２８にインストールされたプログラム、またはドライブ３０に装着された各種の記録媒体から読み出されて記録部２８にインストールされたプログラムを、ＲＡＭ２３に展開して実行する。これにより、ＣＰＵ２１は、後述するフローチャートにしたがった処理を行う。
そして、ＣＰＵ２１は、その処理結果を、必要に応じて、例えば、入出力インタフェース２５を介して、ＣＲＴ（Ｃａｔｈｏｄｅ　Ｒａｙ　Ｔｕｂｅ），ＬＣＤ（Ｌｉｑｕｉｄ　Ｃｒｙｓｔａｌ　Ｄｉｓｐｌａｙ）、スピーカ等で構成される出力部２７から出力、あるいは、通信部２９から送信、さらには、ハードディスク等で構成される記憶部２８に記録させる。
なお、アクセスサーバ６、評価・検索サーバ７、ＷＷＷサーバ８、および管理制御装置９は、それぞれ、パーソナルコンピュータ１と同様の構成を有しており、その図示と説明は省略する。
図３は、図１の携帯電話機２の外観の構成例を示している。
図３において、携帯電話機２は、中央のヒンジ部４１を境に、表示部４２と本体４３とに分けられており、ヒンジ部４１を介して折り畳み可能に形成されている。
表示部４２には、その上端左部に送受信用のアンテナ４４が引出しおよび収納可能な状態に取り付けられており、アンテナ４４は、基地局３との間で電波を送受信する。また、表示部４２には、その上端中央部に、ほぼ１８０度の角度範囲で回動自在なカメラ部４５が設けられている。カメラ部４５は、ＣＣＤ（Ｃｈａｒｇｅ　Ｃｏｕｐｌｅｄ　Ｄｅｖｉｃｅ）カメラ４６を有しており、これにより、携帯電話機２では、所望の被写体の画像を撮像することができるようになっている。
カメラ部４５の、ＣＣＤカメラ４６が設けられている反対側の面（背面）には、図４に示すようにスピーカ４７が設けられている。即ち、ユーザが、カメラ部４５を、図３に示した状態から、ほぼ１８０度回動すると、図４に示すように、カメラ部４５の背面側の中央に設けられたスピーカ４７が、正面側に位置することになり、これにより、通常の音声通話が可能な状態に切り換わる。
表示部４２には、さらに、その正面に、液晶ディスプレイ４８が設けられており、液晶ディスプレイ４８には、例えば、電波の受信状態、電池残量、電話帳として登録されている相手先名や電話番号、および発信履歴などが表示される。さらに、液晶ディスプレイ４８には、電子メールの内容や、Ｗｅｂページ、ＣＣＤカメラ４６で撮像された画像、携帯電話機２で受信されたデータ、その他、液晶ディスプレイ４８の表示画面上の所定の位置を指示するカーソルなども表示される。
本体４３には、その表面に「０」乃至「９」の数字キー、発呼キー、リダイヤルキー、終話及び電源キー、クリアキー、並びに電子メールキー等の操作キー４９が設けられており、ユーザは、この操作キー４９を操作することによって、各種の指示を入力することができるようになっている。
また、本体４３には、操作キー４９の下部に、メモボタン５０やマイクロフォン５１が設けられている。メモボタン５０は、通話中の相手の音声を録音するときに操作される。マイクロフォン５１は、通話時のユーザの音声を集音する。
さらに、本体４３には、操作キー４９の上部に、回転自在なトラックボール５２が、本体４３の表面から僅かに突出した状態で設けられている。トラックボール５２が回転操作されると、その操作に応じて、液晶ディスプレイ４８に表示された電話帳リストや電子メールのスクロール動作、Ｗｅｂページのページ捲り動作、画像の送り動作等の種々の動作が行われる。
また、トラックボール５２は、本体４３の内部方向への押圧操作が可能になっている。例えば、ユーザが、トラックボール５２を回転操作することにより、液晶ディスプレイ４８に表示された電話帳リストの複数の電話番号の中から所望の電話番号を選択し、トラックボール５２を本体４３の内部方向に押圧操作すると、携帯電話機２では、選択された電話番号が確定され、その電話番号に対して自動的に発呼処理が行われる。
その他、トラックボール５２は、例えば、液晶ディスプレイ４８に表示されるカーソルを移動するときに回転操作され、カーソルが位置している点をクリックするときに、押圧操作される。
本体４３の左側面上部には、抜差自在なメモリカード５３を挿着するためのメモリカードスロット５４が設けられている。メモリカード５３には、メモボタン５０が押下された場合に、通話中の相手の音声が記録され、あるいは、また、ユーザの操作に応じて、電子メールや、Ｗｅｂページ、ＣＣＤカメラ４６で撮像された画像、携帯電話機２で受信されたデータ等が記録される。
メモリカード５３は、小型薄型形状のプラスチックケース内に、電気的に書換えや消去が可能な不揮発性メモリであるＥＥＰＲＯＭ（Ｅｌｅｃｔｒｉｃａｌｌｙ　Ｅｒａｓａｂｌｅ　ａｎｄ　Ｐｒｏｇｒａｍｍａｂｌｅ　Ｒｅａｄ　Ｏｎｌｙ　Ｍｅｍｏｒｙ）の一種であるフラッシュメモリ素子を格納したものであり、画像データや、音声データ、プログラム等の各種データの書き込みおよび読み出しが可能となっている。
なお、メモリカード５３としては、例えば、本件出願人であるソニー株式会社によって開発されたメモリスティク（ソニー株式会社の商標）を採用することができる。また、メモリカード５３としては、その他、例えば、他社製品であるＳＤメモリーカードや、コンパクトフラッシュ、スマートメディア、マルチメディアカード、サムドライブ（Ｔｈｕｍｂ　Ｄｒｉｖｅ）（いずれも商標）等を採用することも可能である。また、半導体メモリであるメモリカード５３に替えて、例えば、マイクロドライブやｉＤフォーマット（いずれも商標）といった磁気ディスク等を採用することも可能である。
メモリカード５３は、メモリカードスロット５４に対して、容易に着脱可能となっており、従って、メモリカード５３を介することで、他の電子機器との間で、データを、容易に共有することが可能となっている。
なお、本体４３には、背面側に、図示しないバッテリパックが挿着されており、終話及び電源キーがオン状態になると、バッテリパックから各回路部に対して電力が供給されて動作可能な状態となる。
図５は、図１の携帯電話機２の電気的構成例を示している。
携帯電話機２は、表示部４２および本体４３の各部を統括的に制御する主制御部６０に対して、電源回路部６１、操作入力制御部６２、画像エンコーダ６３、カメラＩ／Ｆ（インターフェース）部６４、ＬＣＤ制御部６５、画像デコーダ６６、多重分離部６７、記録再生部７２、変復調回路部６８、および音声コーデック６９が、メインバス７０を介して互いに接続されると共に、画像エンコーダ６３、画像デコーダ６６、多重分離部６７、変復調回路部６８、および音声コーデック６９が、同期バス７１を介して互いに接続されて構成されている。
電源回路部６１は、ユーザの操作により終話及び電源キーがオン状態にされると、バッテリパックから各部に対して電力を供給し、携帯電話機２を動作可能な状態に起動する。
主制御部６０は、図示せぬＣＰＵ，ＲＯＭ，ＲＡＭ等で構成され、ＣＰＵが、ＲＯＭに記憶されたプログラムを実行することで、各種の処理を行う。
即ち、携帯電話機２は、主制御部６０の制御に基づいて、音声通話モード時にマイクロフォン５１で集音した音声信号を、音声コーデック６９によってディジタル音声データに変換し、これを変復調回路部６８でスペクトラム拡散処理する。さらに、携帯電話機２は、そのスペクトラム拡散処理後の信号に対して、送受信回路部７３でディジタルアナログ変換処理及び周波数変換処理を施し、アンテナ４４を介して送信する。
また、携帯電話機２は、音声通話モード時にアンテナ４４で受信した受信信号を、送受信回路部７３で増幅し、周波数変換処理及びアナログディジタル変換処理を施して、変復調回路部６８に供給する。変復調回路部６８は、送受信回路部７３からの信号をスペクトラム逆拡散処理し、音声コーデック６９に供給する。音声コーデック６９は、変復調回路部６８からの信号をアナログ音声信号に変換し、スピーカ４７に供給して出力させる。
さらに、携帯電話機２は、例えば、電子メール等のテキストデータを送信する場合、操作キー４９やトラックボール５２の操作によって入力されたテキストデータを、操作入力制御部６２を介して主制御部６０に送出する。主制御部６０は、供給されるテキストデータを、上述した音声通話における場合と同様に、変復調回路部６８および送受信回路部７３で処理した後、アンテナ４４を介して、基地局３に送信する。
また、携帯電話機２は、電子メール等のテキストデータを受信する場合、アンテナ４４を介して基地局３から受信した受信信号を、音声通話における場合と同様に、送受信回路部７３および変復調回路部６８で処理することにより、テキストデータに復元した後、ＬＣＤ制御部６５を介して、液晶ディスプレイ４８に供給して、電子メールとして表示させる。
さらに、携帯電話機２は、例えば、画像データを送信する場合、ＣＣＤカメラ４６で撮像された画像データを、カメラインターフェース部６４を介して、画像エンコーダ６３に供給する。画像エンコーダ６３は、ＣＣＤカメラ４６から供給される画像データを、所定の符号化方式によって圧縮符号化することにより符号化画像データに変換し、これを多重分離部６７に送出する。同時に、携帯電話機２は、ＣＣＤカメラ４６による撮像中にマイクロフォン５１で集音した音声を、音声コーデック６９を介して、ディジタルの音声データとして、多重分離部６７に送出する。多重分離部６７は、画像エンコーダ６３から供給された符号化画像データと音声コーデック６９から供給された音声データとを、所定の方式で多重化する。この結果得られる多重化データは、変復調回路部６８および送受信回路部７３で処理され、アンテナ４４を介して送信される。
なお、ＣＣＤカメラ４６で撮影される画像データは、同時に、カメラインターフェース部６４およびＬＣＤ制御部６５を介して、液晶ディスプレイ４８に供給して表示することができる。
携帯電話機２は、例えば、画像データを受信する場合、アンテナ４４を介して基地局３から受信した受信信号を、送受信回路部７３および変復調回路部６８で処理し、その結果得られる多重化データを、多重分離部６７に送出する。多重分離部６７は、多重化データを、符号化画像データと音声データとに分け、同期バス７１を介して、符号化画像データを画像デコーダ６６に供給すると共に、音声データを音声コーデック６９に供給する。画像デコーダ６６は、符号化画像データを所定の符号化方式に対応した復号化方式でデコードすることにより、再生動画像データを生成し、ＬＣＤ制御部６５を介して液晶ディスプレイ４８に供給して表示させる。音声コーデック６９は、そこに供給される音声データをアナログ音声信号に変換し、スピーカ４７に供給して出力させる。
なお、携帯電話機２では、受信した各種のデータを、記録再生部７２を介してメモリカード５３に供給して記録させることが可能である。
図６は、パーソナルコンピュータ１、および評価・検索サーバ７の機能的構成例を示すブロック図である。この機能的構成は、パーソナルコンピュータ１の記憶部２８に記憶されているＷＷＷブラウザプログラムをＣＰＵ２１が実行し、評価・検索サーバ７が保持している検索プログラムを、図示せぬＣＰＵが実行することにより実現される。なお、この例においては、ユーザがパーソナルコンピュータ１のＷＷＷブラウザプログラムを実行した場合について説明するものとするが、ユーザが携帯電話機２の主制御部６０に記憶されているＷＷＷブラウザプログラムを実行した場合も、同様の機能構成が実現される。
パーソナルコンピュータ１のＷＷＷブラウザ部８１は、評価・検索サーバ７に対して、ユーザにより入力されたＷｅｂページのキーワードなどの情報からなる検索要求情報を送信する。そして、ＷＷＷブラウザ部８１は、評価・検索サーバ７から検索結果として通知されるＷｅｂページのＵＲＬなどの検索結果情報を、ＣＲＴなどよりなる出力部２７に一覧表示し、ユーザに提供する。また、それぞれのＷｅｂページには、評価・検索サーバ７により評価された、そのＷｅｂページの内容の評価情報が付加され、ユーザに提供される。そのため、ユーザは、評価情報に基づいて、有用なＷｅｂページのみを選択して閲覧することができる。
検索結果として提供されたＷｅｂページの一覧情報から、ユーザがマウスなどよりなる入力部２６を操作することにより、好みのＷｅｂページを選択した場合、ＷＷＷブラウザ部８１は、選択されたＷｅｂページのＵＲＬが指定する、インターネット５に接続されるＷＷＷサーバ８にアクセスし、ＷｅｂページとしてのＨＴＭＬファイルを取得する。ＨＴＭＬファイルを取得したＷＷＷブラウザ部８１は、これを出力部２７に表示、または出力させる。
また、ＷＷＷブラウザ部８１は、ユーザが入力部２６を操作し、出力部２７に表示されているＷｅｂページに対して入力した各種の操作情報から、そのＷｅｂページに対する、視聴行為情報としての評価値の更新情報を生成し、評価・検索サーバ７の送受信制御部９１に送信する。例えば、ＷＷＷブラウザ部８１は、ユーザが、所定のＷｅｂページを表示させた時間に応じて、そのＷｅｂページに対する評価値の更新情報を生成し、送受信制御部９１に送信する。すなわち、表示されている時間が長いＷｅｂページほど、価値あるＷｅｂページであることを示す評価値の更新情報が生成され、反対に、表示した瞬間、他のＷｅｂページへの移動が指示されたようなＷｅｂページに対しては、価値が劣るＷｅｂページであることを示す評価値の更新情報が生成される。送受信制御部９１に通知される更新情報には、ユーザがＷｅｂページに対して入力した操作内容に対応する評価値の更新情報の他、そのＷｅｂページのＵＲＬなどが含められる。
図７は、操作内容と、評価値の更新情報の対応例を示す図である。
この例においては、第１の操作内容として、「一瞬見て、次のページに移動した」が設定され、ユーザがそのような操作をした場合、そのＷｅｂページの評価値は１０ポイントだけマイナスされることが示されている。すなわち、ユーザが、Ｗｅｂページを一瞬だけ表示させ、次のページへ移動した場合、一瞬だけ表示されたＷｅｂページの評価値を１０ポイントだけマイナスすることを示す更新情報と、そのＷｅｂページのＵＲＬが評価・検索サーバ７に通知される。その通知を受信した評価・検索サーバ７は、ＵＲＬにより指定される、一瞬だけ表示されたＷｅｂページに対する評価情報が既に登録されている場合、その評価値を１０ポイントだけマイナスし、そのＷｅｂページに対する評価情報がまだ登録されていない場合、予め設定された初期値から１０ポイントだけマイナスして登録する。
また、図７においては、第２の操作内容として、「ブックマークへ登録した」が設定され、ユーザがＷｅｂページをブックマークへ登録した場合、そのＷｅｂページの評価値は１０ポイントだけプラスされることが示されている。同様に、ユーザが、表示されているＷｅｂページを印刷、または保存した場合、そのＷｅｂページの評価値が８ポイントだけプラスされ、頻繁に様々な操作を入力した場合、そのＷｅｂページの評価値が７ポイントだけプラスされると設定されている。さらに、ユーザが所定の時間以上、Ｗｅｂページを表示させた場合、そのＷｅｂページの評価値は５ポイントだけプラスされ、一定期間内に何度も閲覧された場合、そのＷｅｂページの評価値は３ポイントだけプラスされると設定されている。
なお、図７に示す操作に限らず、様々な操作から視聴行為情報としての更新情報を生成するようにすることができる。例えば、表示されているＷｅｂページ上でのマウスの操作状況、Ｗｅｂページのスクロール距離、リンクしている他のＷｅｂページへのアクセス回数などから更新情報が生成され、評価・検索サーバ７に送信されるようにしてもよい。ここで、マウスの操作状況とは、例えば、マウスの移動距離、マウスによるクリック回数などである。また、表示されるページにリンクされているコンテンツのダウンロードが指示された回数、および、表示されるページにリンクされるコンテンツのアップロードが指示された回数などもマウスの操作状況に含まれる。
また、ＷＷＷブラウザ部８１から、評価値の更新情報が送信されるとしたが、ユーザにより入力された操作内容を示す情報と、表示しているＷｅｂページのＵＲＬが送受信制御部９１に送信されるようにしてもよい。この場合、図７に示すような操作内容と評価値の対応表は、例えば、評価情報登録部９３などに予め記憶され、評価情報登録部９３において、評価値の更新情報が生成される。
評価・検索サーバ７の送受信制御部９１は、ＷＷＷブラウザ部８１との各種の情報の送受信を制御し、ＷＷＷブラウザ部８１から取得した情報を評価・検索サーバ７の各部に供給する。送受信制御部９１は、例えば、ＷＷＷブラウザ部８１から、検索要求情報としてＷｅｂページのキーワードなどが送信されてきた場合、その検索要求情報を検索部９２に通知する。反対に、検索部９２から、検索要求情報に対する評価付き検索結果情報が通知されてきた場合、送受信制御部９１は、ＷＷＷブラウザ部８１に対して、評価付き検索結果情報を送信する。なお、このＷＷＷブラウザ部８１と送受信制御部９１の情報の送受信は、実際には、図１に示すように、公衆回線網４、インターネット５、およびアクセスサーバ６を介して実行される。
また、送受信制御部９１は、ＷＷＷブラウザ部８１から送信されてきた評価値の更新情報、およびユーザＩＤを評価情報登録部９３に通知する。
検索部９２は、送受信制御部９１から通知されてきた検索要求情報に含まれるＷｅｂページのキーワードなどに基づいて、ＷＷＷデータベース９６に登録されているＷｅｂページを検索する。検索部９２は、キーワードに対応するＷｅｂページが検索されたとき、検索結果としてそのＷｅｂページのＵＲＬを取得する。
また、検索結果のＵＲＬを取得した検索部９２は、送受信制御部９１から通知されてきたＷＷＷブラウザ部８１の識別情報であるユーザＩＤと、検索結果のＵＲＬを評価部９５に通知する。評価部９５は、この通知された情報に基づいてＷｅｂページ毎の評価値を算出し、検索部９２に通知する。
さらに、検索部９２は、評価部９５からのＷｅｂページ毎の評価値の通知を受けたとき、評価値と検索結果のＵＲＬから評価付き検索結果情報を生成し、送受信制御部９１に通知する。
評価情報登録部９３は、ＷＷＷブラウザ部８１が生成し、送受信制御部９１から通知されてきた更新情報に基づいて、評価情報データベース９４に登録されている評価情報を更新登録する。
評価情報データベース９４には、パーソナルコンピュータ１のユーザにとって評価値が高いＷｅｂページのリスト（以下、適宜、高評価リストと称する）が、ユーザＩＤに対応されて登録されている。高評価リストには、評価値が高いＷｅｂページの順に、所定の数だけ登録される。
評価部９５は、検索部９２から通知されたユーザＩＤに基づいて、ユーザＩＤに対応して評価情報データベース９４に記憶されている高評価リストを取得し、検索結果として通知されたＷｅｂページに対する評価値を算出し、検索部９２に通知する。
ＷＷＷデータベース作成部９７は、例えば、ディレクトリ型の検索エンジンであり、インターネット５に接続されている多数のＷＷＷサーバ８が記憶するＷｅｂページの内容をカテゴリ分類し、ＷｅｂページのＵＲＬを、ＷＷＷデータベース９６に登録する。すなわち、ＷＷＷデータベース作成部９７は、検索部９２が、ユーザから通知されたキーワードに基づいて、Ｗｅｂページを検索できる状態に、ＷＷＷデータベース９６を作成する。
次に、図６の各部の動作について説明する。始めに、図８および図９のフローチャートを参照して、ＷＷＷブラウザ部８１のブラウザ処理について説明する。
ステップＳ１において、ＷＷＷブラウザ部８１は、Ｗｅｂページのキーワードなどを含む検索要求情報の送信がユーザにより指示されたか否かを判定し、送信が指示されたと判定した場合、ステップＳ２に進み、評価・検索サーバ７の送受信制御部９１に対して送信する。
ステップＳ３において、ＷＷＷブラウザ部８１は、検索要求情報を送信したことに応じて、評価・検索サーバ７から送信されてくる評価付き検索結果情報を受信し、ステップＳ５で、ＣＲＴなどより構成される出力部２７に表示する。出力部２７には、ユーザが入力したキーワードに対応する検索結果としてのＷｅｂページのＵＲＬなどが一覧表示され、それぞれのＷｅｂページ毎に、その内容（質）に対する評価値が表示される。このＷｅｂページに対する評価値は、数値で表示されることに限られず、例えば、棒グラフにより表示されたり、星の数などにより表示されるようにすることもできる。
一方、ステップＳ１において、検索要求情報の送信が指示されていないと判定された場合、ステップＳ４に進む。ステップＳ４において、ＷＷＷブラウザ部８１は、評価付き検索結果情報を既に受信しており、その結果の表示が指示されたか否かを判定し、表示することが指示されたと判定した場合、ステップＳ５に進み、出力部２７に出力する。また、ＷＷＷブラウザ部８１は、評価付き検索結果情報が受信されていない、または、取得している評価付き検索結果情報の表示が指示されていないと判定した場合、ステップＳ１５に進む。
ステップＳ６において、ＷＷＷブラウザ部８１は、出力部２７に表示した評価付き検索結果情報から、アクセスするＷｅｂページが選択されたか否かを判定し、選択されたと判定した場合、ステップＳ７に進む。
ステップＳ７において、ＷＷＷブラウザ部８１は、選択されたＷｅｂページのＵＲＬが指定するＷＷＷサーバ８にアクセスし、ＷｅｂページとしてのＨＴＭＬファイルの送信を要求する。そして、ＷＷＷブラウザ部８１は、現在表示しているＷｅｂページから、他のＷｅｂページへの移動が指示されたタイミングに応じて、ステップＳ８において、それまで表示していたＷｅｂページの表示時間のカウントを終了し、評価値を更新する（ＷＷＷブラウザ部８１は、Ｗｅｂページを表示したとき、後述するステップＳ１０において、表示時間のカウントを開始している）。
ＷＷＷブラウザ部８１は、ステップＳ８で、Ｗｅｂページの表示時間のカウントを終了し、例えば、あるＷｅｂページを所定時間以上、表示させていた場合、図７を参照して説明したように、そのＷｅｂページの評価値を５ポイントだけプラスするような更新情報を生成し、評価・検索サーバ７に送信することにより、そのＷｅｂページに対する評価値を更新させる。
ステップＳ７の処理に応じて、ＷＷＷサーバ８から送信されてきたＷｅｂページは、ステップＳ９で出力部２７に表示され、ステップＳ１０において、その表示時間のカウントが開始される。
ステップＳ１１において、ＷＷＷブラウザ部８１は、表示しているＷｅｂページをブックマークに登録（お気に入り登録）することがユーザから指示されたか否かを判定し、指示されたと判定した場合、ステップＳ１２に進み、ブックマーク登録し、ブックマーク登録に対応する評価値の更新情報を生成して送受信制御部９１に送信する。ＷＷＷブラウザ部８１は、ブックマーク登録に応じて、そのＷｅｂページに対する評価値を、例えば、図７に示すように１０ポイントだけプラスする更新情報を生成し、送受信制御部９１に送信する。
一方、ステップＳ１１でブックマークへの登録が指示されていないと判定された場合、ステップＳ１２の処理はスキップされ、ステップＳ１３に進む。
ステップＳ１３において、ＷＷＷブラウザ部８１は、表示しているＷｅｂページの印刷、または保存が、ユーザにより指示されたか否かを判定し、指示されたと判定した場合、ステップＳ１４で、印刷、または保存処理を実行し、その処理に対応する評価値の更新情報を生成し、送受信制御部９１に送信する。ユーザにより、Ｗｅｂページの印刷、または保存が指示された場合、例えば、図７に示すように、そのＷｅｂページの評価値を８ポイントだけプラスすることを指示する更新情報が生成され、評価・検索サーバ７に送信される。
一方、ステップＳ１３で、Ｗｅｂページの印刷、または保存が指示されていないと判定された場合、ステップＳ１４の処理はスキップされ、ステップＳ１５の処理が実行される。
ステップＳ１５において、ＷＷＷブラウザ部８１は、キーワードに対する検索結果として、ステップＳ５で表示されるＷｅｂページ以外のＷｅｂページへの移動が指示されたか否かを判定する。例えば、ユーザが入力部２６を操作し、所定の入力欄にＵＲＬを入力した場合、検索結果以外のＷｅｂページへの移動が指示されたと判定され、ステップＳ７の処理に戻り、それ以降の処理が繰り返し実行される。
ＷＷＷブラウザ部８１は、ステップＳ１５において、ユーザからの指示に基づいて、検索結果以外のＷｅｂページへの移動が指示されていないと判定した場合、ステップＳ１６に進む。ステップＳ１６において、ブラウザ処理の終了が指示されたか否かが判定され、指示されていないと判定された場合、ステップＳ１に戻り、それ以降の処理が繰り返し実行される。一方、ステップＳ１６でブラウザ処理を終了することが指示されたと判定された場合、処理は終了される。
次に、図１０のフローチャートを参照して、評価・検索サーバ７の評価情報登録部９３の評価情報登録処理について説明する。
ステップＳ３１において、評価情報登録部９３は、送受信制御部９１から送信されてくる評価値の更新情報、および更新情報を生成したＷＷＷブラウザ部８１を識別するユーザＩＤを受信する。
ステップＳ３２において、評価情報登録部９３は、通知されたユーザＩＤに基づいて、評価情報データベース９４に登録されている高評価リストを読み出し、ステップＳ３３で、更新情報により評価値が更新されるＷｅｂページは、そのユーザの高評価リストに、既に登録されているＷｅｂページか否かを判定する。
評価情報登録部９３は、ステップＳ３３で、通知された更新情報が、既に登録されているＷｅｂページの評価値を更新する更新情報であると判定した場合、ステップＳ３４に進み、評価情報データベース９４に登録されている評価情報を更新登録する。例えば、送受信制御部９１から、更新情報として、「ＷｅｂページＡ」の評価値を１０ポイントだけマイナスすることを指示する更新情報が通知され、「ＷｅｂページＡ」に対する評価値が８０ポイントとして評価情報データベース９４の高評価リストに登録されている場合、評価情報登録部９３は、「ＷｅｂページＡ」に対する評価値を７０ポイントとし、評価情報データベース９４に更新登録する。
一方、評価情報登録部９３は、ステップＳ３３で、通知されてきた更新情報が、高評価リストにまだ登録されていないＷｅｂページに関する更新情報であると判定した場合、ステップＳ３５に進み、通知された更新情報を評価情報データベース９４に新規登録する。例えば、送受信制御部９１から、更新情報として、「ＷｅｂページＡ」の評価値を１０ポイントだけプラスすることを指示する更新情報が通知され、まだ登録されていないＷｅｂページの初期値を５０ポイントとすることが予め設定されている場合、評価情報登録部９３は、「ＷｅｂページＡ」に対する評価値を６０ポイントとし、評価情報データベース９４に新規登録する。
上述した処理が、更新情報が通知される毎に繰り返し実行され、評価情報データベース９４に、複数のユーザの高評価リストが記憶される。
次に、図１１のフローチャートを参照して、評価・検索サーバ７の評価部９５の評価値算出処理について説明する。
ステップＳ４１において、評価部９５は、検索部９２から通知されてきたユーザＩＤと、ユーザから通知されたキーワードに基づいて、検索部９２がＷＷＷデータベース９６を検索することにより取得したＷｅｂページの検索結果を取得する。
評価部９５は、ステップＳ４２において、ユーザＩＤにより指定されるユーザを注目するユーザ（以下、適宜、注目ユーザと称する）として設定し、注目ユーザのＷｅｂページの高評価リストを評価情報データベース９４から取得する。また、評価部９５は、ステップＳ４３で、注目ユーザ以外の他のユーザの高評価リストを所定の数だけ評価情報データベース９４から取得する。
ステップＳ４４において、評価部９５は、取得した高評価リストから、注目ユーザと他のユーザとの嗜好一致度を抽出する。評価部９５は、例えば、図１２に示すような処理を実行することにより嗜好一致度を抽出する。
図１２（Ａ）は、注目ユーザとしてのユーザＡの高評価リストの例を示しており、図１２（Ｂ）は、ユーザＢの高評価リストの例を示す図である。
この例においては、図１２（Ａ）に示すように、ユーザＡにとって、最も評価値が高いＷｅｂページのＵＲＬが「ＵＲＬ１」とされ、２番目に評価値が高いＷｅｂページのＵＲＬが「ＵＲＬ２」とされ、３番目に評価値が高いＷｅｂページのＵＲＬが「ＵＲＬ３」とされ、４番目に評価値が高いＷｅｂページのＵＲＬが「ＵＲＬ４」とされている。また、「ＵＲＬ１」により指定されるＷｅｂページの評価値が１００ポイントとされ、同様に、「ＵＲＬ２」により指定されるＷｅｂページの評価値が１００ポイントとされ、「ＵＲＬ３」により指定されるＷｅｂページの評価値が９８ポイントとされ、「ＵＲＬ４」により指定されるＷｅｂページの評価値が９５ポイントとされている。
図１２（Ｂ）においては、ユーザＢにとって、最も評価値が高いＷｅｂページのＵＲＬが「ＵＲＬ２」とされ、その評価値が９８ポイントと、２番目に評価値が高いＷｅｂページのＵＲＬが「ＵＲＬ３」とされ、その評価値が９７ポイントと登録されている。また、３番目に評価値が高いＷｅｂページのＵＲＬが「ＵＲＬ２０」とされ、その評価値が９５ポイントと、４番目に評価値が高いＷｅｂページのＵＲＬが「ＵＲＬ１」とされ、その評価値が９３ポイントと、それぞれ登録されている。
例えば、この高評価リストには、それぞれのユーザ毎に、１００番目に評価値が高いＷｅｂページまで登録される。
そこで、評価部９５は、ステップＳ４４において、それぞれの高評価リストに共通して登録されているＷｅｂページの数を算出し、その数に対応する嗜好一致度を抽出する。
図１３は、共通するＷｅｂページの数に対応して設定されている嗜好一致度の例を示す図である。この例においては、共通するＷｅｂページの数が１０個以上の場合、嗜好一致度が１．０ポイントとされ、共通するＷｅｂページの数が９個の場合、嗜好一致度が０．９ポイントとされ、以下、同様に、共通するＷｅｂページの数が１個減る毎に、嗜好一致度が０．１ポイントづつ減るように設定されている。
例えば、評価部９５は、図１２（Ａ），（Ｂ）の高評価リストより、共通して登録されているＷｅｂページの数が８個であると算出した場合、ユーザＡとユーザＢの嗜好一致度を０．８として抽出し、設定する。このような方法により、評価部９５は、ステップＳ４４で注目ユーザと他のユーザとの嗜好一致度を抽出する。
そして、ステップＳ４５において、評価部９５は、ステップＳ４４で抽出した嗜好一致度に基づいて、Ｗｅｂページの評価値に対して重み付けをすることにより、検索されたＷｅｂページ（検索部９２から通知されたＷｅｂページ）の評価値を算出する。
図１４は、評価部９５により実行される、評価値の算出方法の例を説明する図である。
図１４において、図１４（Ａ）は、ユーザ間の嗜好一致度の例を示しており、図１４（Ｂ）は、検索部９２から通知された検索結果に含められているＷｅｂページとしての「ＷｅｂページＡ」に対する各ユーザの評価値の例を示している。
図１４（Ａ）においては、注目ユーザであるユーザＡとユーザＣの嗜好一致度が０．９ポイントとされ、ユーザＡとユーザＤの嗜好一致度が０．１ポイントとされ、ユーザＡとユーザＥの嗜好一致度が０．５ポイントとされている。また、ユーザＢとユーザＣの嗜好一致度が０．５ポイントとされ、ユーザＢとユーザＤの嗜好一致度が０．８ポイントとされ、ユーザＢとユーザＥの嗜好一致度が０．１ポイントとされている。
図１４（Ｂ）においては、「ＷｅｂページＡ」に対するユーザＣの評価値が８０ポイントとされ、「ＷｅｂページＡ」に対するユーザＤの評価値が１０ポイントとされ、「ＷｅｂページＡ」に対するユーザＥの評価値が５０ポイントとされている。
評価部９５は、図１４（Ａ），（Ｂ）に示すような対応表に基づいて、検索結果として通知されたＷｅｂページ毎の評価値を算出し、評価付き検索結果情報を生成して、注目ユーザ（ＷＷＷブラウザ部８１）に提供する。
例えば、図１４において、注目ユーザであるユーザＡの「ＷｅｂページＡ」に対する評価値は、計算式Ａにより算出される。すなわち、図１４（Ｂ）に示すような他のユーザによる評価値に、そのユーザとの嗜好一致度をそれぞれ乗算（重み付け）した結果を積算し、注目ユーザと他のユーザとの嗜好一致度の合計で除算することにより６５．３ポイントとして算出される。
また、注目ユーザをユーザＢとした場合も、「ＷｅｂページＡ」に対する評価値が計算式Ｂにより３７．９ポイントとして算出される。これにより、図１４に示されるように、同一Ｗｅｂページに対する評価値は、注目ユーザを、どのユーザと設定するかによって異なった値が算出される。
ステップＳ４６において、評価部９５は、ステップＳ４５で算出したＷｅｂページ毎の評価値を検索部９２に通知する。検索部９２は、評価部９５から通知されてきた評価値を検索結果のＷｅｂページに対応づけることにより評価付き検索結果情報を生成して、ＷＷＷブラウザ部８１に提供する。なお、Ｗｅｂページに対する評価値は、図１４に示した方法により算出されることに限らず、様々な方法により算出されるようにすることもできる。例えば、複数のユーザによる評価値の平均値から、所定のＷｅｂページに対する評価値を算出するようにしてもよい。
次に、図１５のフローチャートを参照して、検索部９２のＷｅｂページ検索処理について説明する。
ステップＳ６１において、検索部９２は、ＷＷＷブラウザ部８１から送信されてきた検索要求情報を、送受信制御部９１を介して受信する。この検索要求情報には、検索するＷｅｂページのキーワードが含まれている。
検索部９２は、ステップＳ６２で、受信されたキーワードに対応するＷｅｂページを、ＷＷＷデータベース９６に登録されているＷｅｂページから検索する。そして、ステップＳ６３で、検索部９２は、検索されたＷｅｂページのＵＲＬと、ユーザＩＤを評価部９５に通知する。
この通知を受けた評価部９５は、上述した図１１のフローチャートの処理を実行することにより、Ｗｅｂページ毎の評価値を検索部９２に提供する。検索部９２に提供されたＷｅｂページ毎の評価値は、ステップＳ６４で取り込まれ、ステップＳ６５において、検索結果のＷｅｂページ毎に、評価部９５から通知された評価値が付加され、評価付き検索結果情報が生成される。
ステップＳ６６において、検索部９２は、ステップＳ６５で生成した評価付き検索結果情報を、送受信制御部９１を介してＷＷＷブラウザ部８１に送出する。
これにより、パーソナルコンピュータ１のユーザは、自分の嗜好に応じたＷｅｂページの検索結果と、Ｗｅｂページ毎の評価情報を利用することができ、有用な（質の高い）Ｗｅｂページに容易にアクセスすることができる。
図１６は、本発明を適用した他のネットワークシステムの機能的構成例を示す図である。図１６の例においては、評価サーバ１２０は、上述した評価・検索サーバ７とは異なり、Ｗｅｂページの検索機能を有しておらず、ＷＷＷブラウザ部１１０から通知された操作情報に基づいて、高評価リストを作成し、ユーザに提供する処理を実行する。また、図６のネットワークシステムにおいては、ＷＷＷブラウザ部８１がＷｅｂページに対する評価値の更新情報を生成し、評価・検索サーバ７に通知するとしたが、図１６のネットワークシステムにおいては、ＷＷＷブラウザ部１１０は、ユーザから入力されたＷｅｂページに対する操作情報のみを通知し、評価サーバ１２０に評価値の更新を要求する。すなわち、図７に示すような操作内容と評価値の更新情報の対応表は、評価サーバ１２０の評価情報登録部１３３に記憶されており、評価情報登録部１３３において、操作内容から評価値の更新情報が生成される。
以下、図１７乃至図１９のフローチャートを参照して、図１６のネットワークシステムの各部の動作について説明する。始めに、図１７のフローチャートを参照して、ＷＷＷブラウザ部１１０のブラウザ処理について説明する。
ステップＳ８１において、ＷＷＷブラウザ部１１０は、例えば、所定の入力欄にＵＲＬが入力され、Ｗｅｂページを表示することが指示されたか否かを判定し、表示が指示されたと判定した場合、ステップＳ８２に進み、ＷＷＷサーバ８にＨＴＭＬファイルの送信を要求する。また、ステップＳ８２でＷＷＷサーバ８２にＨＴＭＬファイルの送信が要求されるとともに、ユーザＩＤが送受信制御部１３１に通知される。
ステップＳ８３において、ＷＷＷブラウザ部１１０は、ＷＷＷサーバ８から送信されてきたＨＴＭＬファイル、および評価サーバ１２０の送受信制御部１３１から送信されてきた高評価リストを受信する。受信されたこれらの情報は、ステップＳ８４で出力部２７に表示または出力される。
そして、ＷＷＷブラウザ部１１０は、ステップＳ８５で、表示したＷｅｂページに対してユーザから入力された各種の操作情報を評価サーバ１２０の送受信制御部１３１に送信する。
例えば、ＷＷＷブラウザ部１１０は、送受信制御部１３１に対し、ステップＳ８４で表示したＷｅｂページのＵＲＬと、表示を開始することを通知する。この通知に応じて評価サーバ１２０で表示時間のカウントが開始され、表示時間が計測される。また、ＷＷＷブラウザ部１１０は、ユーザから、表示しているＷｅｂページをブックマーク登録することが指示されたとき、ブックマークの登録処理を実行するとともに、ブックマーク登録が指示されたことを評価サーバ１２０に通知するなどの処理を行う。評価サーバ１２０においては、ＷＷＷブラウザ部１１０から送信されてきた各種の操作情報に基づいて評価値が算出され、高評価リストが更新登録される。評価サーバ１２０の処理については、図１９のフローチャートを参照して後述する。
ステップＳ８６において、ＷＷＷブラウザ部１１０は、ユーザから、他のＷｅｂページへの移動が指示されたか否かを判定し、指示されたと判定した場合、ステップＳ８２に戻り、それ以降の処理を繰り返し実行する。また、ＷＷＷブラウザ部１１０は、ステップＳ８６において、他のＷｅｂページへの移動が指示されていないと判定した場合、ステップＳ８７に進む。
ステップＳ８７において、ＷＷＷブラウザ部１１０は、ブラウザ処理を終了することがユーザから指示されたか否かを判定し、指示されていないと判定した場合、ステップＳ８４に戻り、Ｗｅｂページを表示し続け、入力部２６から操作が入力されたとき、ステップＳ８５で操作情報を送信する処理を実行する。
一方、ＷＷＷブラウザ部１１０は、ステップＳ８７で、ブラウザ処理を終了することが指示されたと判定した場合、処理を終了する。
次に、図１８のフローチャートを参照して、評価情報登録部１３３の評価情報登録処理について説明する。
ステップＳ１０１において、評価情報登録部１３３は、パーソナルコンピュータ１のユーザが、表示されているＷｅｂページに対して各種の操作を入力することにより通知されてきた操作情報、およびＷＷＷブラウザ部１１０を識別するユーザＩＤを送受信制御部１３１から取得する。
ステップＳ１０２において、評価情報登録部１３３は、取得した操作情報に基づいて、その操作内容に対応する評価値の更新情報を生成する。すなわち、評価情報登録部１３３は、上述した図７に示すような操作内容と評価値の対応表を予め記憶している。そのため、評価情報登録部１３３は、ステップＳ１０２で、例えば、送受信制御部１３１から、ユーザが「ＷｅｂページＡ」をブックマークに登録したとの操作情報を取得したとき、図７に示す対応表から、「ＷｅｂページＡ」の評価値を１０ポイントだけプラスすることを示す更新情報を生成することができる。
ステップＳ１０３において、評価情報登録部１３３は、評価情報データベース１３４から、ステップＳ１０１で取得したユーザＩＤに対応する高評価リストを読み出す。そして、評価情報登録部１３３は、ステップＳ１０４において、ステップＳ１０２で生成した更新情報は、高評価リストに既に登録されているＷｅｂページに関する更新情報か否かを判定する。
評価情報登録部１３３は、ステップＳ１０４において、ステップＳ１０２で生成した更新情報が、既に登録されているＷｅｂページの評価値を更新する更新情報であると判定した場合、ステップＳ１０５に進み、評価情報データベース１３４に登録されている評価情報を更新登録する。例えば、更新情報として、「ＷｅｂページＡ」の評価値を１０ポイントだけマイナスすることを指示する更新情報が生成され、「ＷｅｂページＡ」に対する評価値が８０ポイントとして高評価リストに登録されている場合、評価情報登録部１３３は、「ＷｅｂページＡ」に対する評価値を７０ポイントとし、評価情報データベース１３４に更新登録する。
一方、評価情報登録部１３３は、ステップＳ１０４において、ステップＳ１０２で生成された更新情報が、高評価リストにまだ登録されていないＷｅｂページに関する更新情報であると判定した場合、ステップＳ１０６に進み、評価情報データベース１３４に新規登録する。例えば、更新情報として、「ＷｅｂページＡ」の評価値を１０ポイントだけプラスすることを指示する更新情報が生成され、まだ登録されていないＷｅｂページの初期値を５０ポイントとすることが予め設定されている場合、評価情報登録部１３３は、「ＷｅｂページＡ」に対する評価値を６０ポイントとし、評価情報データベース１３４に新規登録する。
上述した処理が、更新情報が通知される毎に繰り返し実行され、評価情報データベース１３４に、複数のユーザの高評価リストが記憶される。
次に、図１９のフローチャートを参照して、評価部１３２の評価値算出処理について説明する。
ステップＳ１２１において、評価部１３２は、送受信制御部１３１からユーザＩＤを取得し、ステップＳ１２２で、ユーザＩＤにより指定されるユーザを注目ユーザとして設定し、注目ユーザの高評価リストを評価情報データベース１３４から取得する。また、評価部１３２は、ステップＳ１２３で、注目ユーザ以外の他のユーザの高評価リストを評価情報データベース１３４から取得する。
ステップＳ１２４において、評価部１３２は、取得した高評価リストから、上述した方法により、注目ユーザと他のユーザとの嗜好一致度を抽出する。すなわち、評価部１３２は、例えば、図１２および図１３を参照して説明したように、注目ユーザと、他のユーザとの高評価リストに共通して登録されているＷｅｂページの数から嗜好一致度を抽出する。
そして、ステップＳ１２５において、評価部１３２は、ステップＳ１２４で抽出した嗜好一致度に基づいて、Ｗｅｂページの評価値に対して、例えば、図１４を参照して説明したような重み付けなどをすることにより、高評価リストに登録されているＷｅｂページ毎の評価値を算出する。
ステップＳ１２６において、評価部１３２は、所定のタイミングに応じて、高評価リストをＷＷＷブラウザ部１１０に送受信制御部１３１を介して送出する。これにより、ユーザは、自分にとって、有用なＷｅｂページのみを閲覧することができる。
以上においては、主に、ユーザ毎に生成された高評価リストが、評価・検索サーバ７、または評価サーバ１２０から提供される場合について説明したが、全てのユーザによるＷｅｂページの評価値に基づいて生成された、一般的な評価リスト（全てのユーザに対して共通な評価リスト）がユーザからの要求に応じて提供されるようにしてもよい。
次に、図２０のフローチャートを参照して、一般評価リストを作成する、図１６に示される評価部１３２の処理について説明する。なお、図６に示される評価部９５においても、同様の処理が行われ、一般評価リストが作成される。
ステップＳ１４１において、評価部１３２は、評価情報データベース１３４に記憶されている評価情報に基づいて、Ｗｅｂページ毎の評価値の平均値を、一般的な評価値として算出する。すなわち、評価情報データベース１３４には、Ｗｅｂページ毎に、複数のユーザによる評価値が保存されており、評価部１３２は、これに基づいて評価値の平均値を算出する。
評価部１３２は、ステップＳ１４２において、ステップＳ１４１で算出した平均値の高い順に、例えば、１００番目までの所定の数のＷｅｂページを選択する。そして、評価部１３２は、ステップＳ１４３において、ステップＳ１４２で選択したＷｅｂページからなる一般評価リストを作成し、評価情報データベース１３４に保存する。評価情報データベース１３４に保存された一般評価リストは、パーソナルコンピュータ１のユーザからの要求に応じて提供される。
このような一般評価リストを参照することによっても、ユーザは、有用な、すなわち、一般的に人気の高いＷｅｂページのみを閲覧することができる。
以上においては、評価・検索サーバ７、および評価サーバ１２０は、Ｗｅｂページに対する評価情報をユーザに提供するとしたが、様々なコンテンツに対する評価情報を提供するようにしてもよい。例えば、テレビジョン番組やラジオ番組の評価情報を提供する場合、評価・検索サーバ７、および評価サーバ１２０は、例えば、番組の放送中にＣＭ（コマーシャルメッセージ）となった瞬間、ユーザによりチャンネルの切替操作がされたことに応じて評価値を更新登録する。このような操作がされた場合、チャンネルの切替操作がされる前に出力されていた番組は、ユーザが集中して視聴していた可能性が高いため、評価・検索サーバ７、および評価サーバ１２０は、評価値を上げる更新情報を生成する。また、チャンネルの切替操作が連続された後に所定時間、出力された番組は、ユーザにとって興味がある番組である可能性が高いため、このような操作がされた場合も、評価値を上げる更新情報が生成される。なお、この場合、テレビジョン番組を出力するテレビジョン受像機、およびラジオ番組を出力するラジオ受信機には、各種の操作情報を評価・検索サーバ７、および評価サーバ１２０に通知する通信部が設けられる。
次に、テレビジョン番組、ラジオ番組、または、インターネットなどにおいて提供されているストリーミングコンテンツ（以下、テレビジョン番組、ラジオ番組、およびストリーミングコンテンツのそれぞれを個々に区別する必要がない場合、まとめて、放送コンテンツと称する）に関する評価情報を提供する、本発明を適用したネットワークシステムについて説明する。
図２１は、放送コンテンツに関する評価情報を提供するネットワークシステムの機能構成例を示すブロック図である。図２１に示されるネットワークシステムは、図１６に示されるネットワークシステムと基本的に同様の構成であるため、重複する部分については、その詳細な説明は省略する。
受信再生装置１４１の受信再生部１５１は、図示せぬ放送波を受信し、テレビジョン番組、或いはラジオ番組を再生する。また、受信再生部１５１は、インターネット５上に展開されている所定のＷＷＷサーバにより配信されるストリーミングコンテンツをダウンロードし、再生する。
受信再生部１５１は、放送コンテンツの再生中において、後述するような、評価値に関係のある操作がユーザにより行われたとき、その内容を指定する操作情報を生成し、ユーザＩＤとともに評価サーバ１２０に送信する。
評価サーバ１２０の評価情報登録部１３３においては、操作情報に基づいて評価情報が生成され、評価情報データベース１３４に保存されている、受信再生装置１４１のユーザの高評価リストの更新等が行われる。図１６等を参照して説明したネットワークシステムの場合と同様に、評価情報データベース１３４には、放送コンテンツに関する、ユーザ毎の評価情報が保存されている。
評価情報登録部１３３は、受信再生装置１４１において再生されている放送コンテンツに対する操作内容が通知されてきたとき、例えば、図２２に示されるような対応例に基づいて、放送コンテンツの評価値を更新する。
図２２に示される例においては、テレビジョン番組などが再生されている最中にＣＭが放送され、その直後にチャンネルが切り替えられた場合、チャンネルが切り替えられる直前に再生されていた番組は、ユーザが集中して視聴していた可能性が高いため、その番組（放送コンテンツ）の評価値が１０ポイントだけ高く設定されるとされている。また、チャンネルの切り替えが連続的に行われた後に、所定のチャンネルが選択された場合、選択されたチャンネルの番組は、ユーザにとって興味がある番組である可能性が高いため、そのチャンネルの番組の評価値が１０ポイントだけ高く設定されるとされている。このように、様々な操作に応じて、評価値が増減される。
次に、図２３のフローチャートを参照して、放送コンテンツを再生する受信再生装置１４１の受信再生部１５１の処理について説明する。
ステップＳ１５１において、受信再生部１５１は、ユーザにより指定された放送コンテンツを受信し、ステップＳ１５２に進み、それを出力する。例えば、受信再生部１５１により、インターネット５上で配信されているストリーミングコンテンツ、または、放送波を介して提供されるテレビジョン番組などが再生される。
受信再生部１５１は、ステップＳ１５３において、ユーザにより、高評価リストの送信を評価サーバ１２０に要求することが指示されたか否かを判定し、指示されたと判定した場合、ステップＳ１５４に進む。
受信再生部１５１は、ステップＳ１５４において、評価サーバ１２０に対して、受信再生装置１４１のユーザに関する高評価リストの送信を要求する。評価サーバ１２０においては、例えば、図１９に示される処理と同様の処理が行われ、作成された放送コンテンツに関する高評価リストが送信されてくる。
ステップＳ１５５において、受信再生部１５１は、評価サーバ１２０から送信されてくる高評価リストを受信し、ステップＳ１５６に進み、それを表示する。一方、ステップＳ１５３において、高評価リストの送信を要求することが指示されていないと判定された場合、ステップＳ１５４乃至ステップＳ１５６の処理はスキップされる。
受信再生部１５１は、ステップＳ１５７において、ステップＳ１５２で出力している放送コンテンツに対して、評価に影響する操作がユーザにより行われたか否かを判定し、例えば、図２２に示されるような操作（「ＣＭが放送された直後のチャンネルの切り替え」、「チャンネルが連続的に切り替えられた後の、所定のチャンネルの選択」などの操作）が行われたと判定した場合、ステップＳ１５８に進む。
ステップＳ１５８において、受信再生部１５１は、ユーザにより行われた操作を指定する情報とユーザＩＤ、および再生している放送コンテンツを識別する情報等を評価サーバ１２０に送信する。評価サーバ１２０においては、受信再生装置１４１から送信されてきた操作情報等に基づいて、評価値の更新等が行われる。
一方、ステップＳ１５７において、受信再生部１５１は、評価に影響する操作が行われていないと判定した場合、ステップＳ１５８の処理をスキップし、ステップＳ１５９に進む。
ステップＳ１５９において、受信再生部１５１は、チャンネルの切り替え（出力する放送コンテンツの切り替え）が指示されたか否かを判定し、チャンネルの切り替えが指示されたと判定した場合、ステップＳ１５１に戻り、それ以降の処理を繰り返し実行する。
一方、受信再生部１５１は、ステップＳ１５９において、チャンネルの切り替えが指示されていないと判定した場合、ステップＳ１６０に進み、次に、ユーザにより、処理の終了が指示されたか否かを判定する。
受信再生部１５１は、ステップＳ１６０において、処理の終了が指示されていないと判定した場合、ステップＳ１５３に戻り、それ以降の処理を繰り返し実行し、一方、処理の終了が指示されたと判定した場合、処理を終了させる。
以上のような処理によって、評価サーバ１２０から提供される高評価リストを利用することにより、ユーザは、人気の高い放送コンテンツのみを選択し、視聴することができる。なお、放送コンテンツに関する一般評価リストが、図２０に示される処理と同様の処理により作成され、提供されるようにしてもよい。
以上においては、受信再生部１５１から送信されてきた操作情報に基づいて、評価サーバ１２０において評価値が算出されるとしたが、ユーザにより行われた操作に基づいて、受信再生部１５１により評価値が算出され、それが評価サーバ１２０に通知されるようにしてもよい。この場合、図２２に示されるような、操作内容と評価値の対応例は、受信再生部１５１に用意される。
評価サーバ１２０は、受信再生装置１４１により算出され、通知されてきた評価値を保存し、保存している情報に基づいて、高評価リスト、或いは一般評価リストを作成する。
図２４は、放送コンテンツを再生する受信再生部１５１の処理を説明するフローチャートである。
図２４に示される処理は、基本的に、図２３を参照して説明した処理と同様の処理である。すなわち、受信再生部１５１は、ステップＳ１７１において、ユーザにより指定された放送コンテンツを受信し、ステップＳ１７２で、それを出力する。
ステップＳ１７３において、受信再生部１５１は、ステップＳ１７２で出力した放送コンテンツに対して、評価に影響する操作がユーザにより行われたか否かを判定し、そのような操作が行われたと判定した場合、ステップＳ１７４に進む。
ステップＳ１７４において、受信再生部１５１は、ユーザにより行われた操作に基づいて評価値を算出する。例えば、受信再生部１５１は、ある放送コンテンツの評価値を既に管理しており、その放送コンテンツが、チャンネルが連続的に切り替えられた後に再び選択された場合、管理している評価値に対して１０ポイントだけ加算し、新たな評価値を算出する。また、受信再生部１５１は、いずれの放送コンテンツに関する評価値も管理していない状態において、チャンネルが連続的に切り替えられた後に選択された番組がある場合、選択された番組の評価値の初期値に対して１０ポイントだけ加算し、評価値を算出する。
受信再生部１５１は、ステップＳ１７５において、ステップＳ１７４で算出した評価値とユーザＩＤ、および、評価値を算出した放送コンテンツを識別する情報等を評価サーバ１２０に送信する。
ステップＳ１７６において、受信再生部１５１は、チャンネルの切り替えがユーザにより指示されたか否かを判定し、切り替えが指示されたと判定した場合、ステップＳ１７１に戻り、それ以降の処理を繰り返し実行する。
また、受信再生部１５１は、ステップＳ１７６において、チャンネルの切り替えが指示されていないと判定した場合、ステップＳ１７７に進み、処理の終了が指示されたと判定したとき、処理を終了させる。
以上のような処理によっても、評価サーバ１２０により、高評価リスト、或いは一般評価リストを作成させることができ、ユーザは、それを利用することで、有用な放送コンテンツのみを視聴することができる。
図２５は、本発明を適用した、さらに他のネットワークシステムの機能構成例を示すブロック図である。
図２５に示されるネットワークシステムにおいては、例えば、ＤＶＤ（Ｄｉｇｉｔａｌ　Ｖｅｒｓａｔｉｌｅ　Ｄｉｓｃ）、ＣＤ（Ｃｏｍｐａｃｔ　Ｄｉｓｋ）、ＭＤ（Ｍｉｎｉ−Ｄｉｓｋ）、およびＶＴＲ（Ｖｉｄｅｏ　Ｔａｐｅ　Ｒｅｃｏｒｄｅｒ）などよりなる記録媒体に記憶され、ユーザに提供されるコンテンツ（以下、適宜、記録媒体コンテンツと称する）に関する評価情報が評価サーバ１２０から提供されるようになされている。
すなわち、再生装置１６１の再生部１７１は、再生装置１６１に装着された記録媒体１６２に記録されているコンテンツを再生し、再生しているコンテンツに対して、評価に影響する所定の操作がユーザにより行われたとき、その操作を指定する操作情報を評価サーバ１２０に通知する。
評価サーバ１２０においては、再生装置１６１から通知されてきた操作情報に基づいて評価情報が更新され、適宜、再生装置１６１のユーザに関するコンテンツの高評価リストが作成され、提供される。
例えば、評価サーバ１２０の評価情報登録部１３３は、図２６に示されるような対応例に基づいて、再生装置１６１において再生されたコンテンツの評価値を算出する。
図２６に示される例においては、ＤＶＤなどに記憶されているコンテンツが再生されている最中に、コンテンツの再生速度（早送り、巻き戻し、一時停止、コマ送り、スロー再生等）が変更された場合、そのコンテンツは、ユーザにとって興味があるコンテンツである可能性が高いため、コンテンツの評価値が１０ポイントだけ高く設定されるとされている。また、コンテンツの一部が巻き戻しされ、所定の位置から再生された場合、或いは、コンテンツの再生中において一旦停止され、その後、停止位置から再生された場合、それらのコンテンツの評価値が１０ポイントだけ高く設定されるとされている。すなわち、特に、一度停止され、停止位置からコンテンツが再生された場合、その操作情報は、ユーザが、視聴することを一度中断したにも関わらず、その後、コンテンツを再び視聴していたことを表わしている。
次に、図２７のフローチャートを参照して、記録媒体コンテンツを再生する再生装置１６１の再生部１７１の処理について説明する。この処理は、図２３を参照して説明した受信再生装置１４１の処理と基本的に同様の処理である。
すなわち、ステップＳ１９１において、再生部１７１は、再生装置１６１に装着された記録媒体１６２に記録されているコンテンツを読み出し、再生する。
そして、再生部１７１は、ステップＳ１９２において、高評価リストの送信を評価サーバ１２０に要求することがユーザにより指示されたと判定した場合、ステップＳ１９３に進む。
再生部１７１は、ステップＳ１９３において、評価サーバ１２０に対して、再生装置１６１のユーザに関する、記録媒体コンテンツの高評価リストの送信を要求し、ステップＳ１９４に進み、評価サーバ１２０から送信されてくる高評価リストを受信する。受信された高評価リストは、ステップＳ１９５において、再生部１７１により表示される。
再生部１７１は、ステップＳ１９６において、ステップＳ１９１で出力しているコンテンツに対して、例えば、図２６に示されるような、評価に影響する操作（「コンテンツの再生速度の変更」、「巻き戻し後の再生」、「停止位置からの再生」などの操作）がユーザにより行われたと判定した場合、ステップＳ１９７に進む。
ステップＳ１９７において、再生部１７１は、ユーザにより行われた操作を指定する情報とユーザＩＤ、および、再生している記憶媒体コンテンツを識別する情報等を評価サーバ１２０に送信する。評価サーバ１２０においては、再生装置１６１から送信されてきた操作情報等に基づいて評価値の更新等が行われる。
その後、ステップＳ１９８において、再生するコンテンツの切り替えが指示されていないと判定され、さらに、ステップＳ１９９において、処理の終了が指示されたと判定された場合、処理が終了される。
以上のような処理によって、評価サーバ１２０から提供される高評価リストを利用することにより、ユーザは、人気の高い記録媒体コンテンツを確認することができる。また、記録媒体コンテンツに関する一般評価リストが、図２０に示される処理と同様の処理により作成され、評価サーバ１２０から提供されるようにしてもよい。
さらに、上述した受信再生装置１４１の場合と同様に、ユーザにより行われた操作に基づいて、再生部１７１により評価値が算出され、それが評価サーバ１２０に通知されるようにすることもできる。この場合、図２６に示されるような、操作内容と評価値の対応例は、再生部１７１に用意される。
次に、図２８のフローチャートを参照して、ユーザによる操作に基づいて評価値を算出し、それを評価サーバ１２０に送信する再生部１７１の処理について説明する。
再生部１７１は、ステップＳ２１１において、記録媒体１６２に記録されているコンテンツを読み出し、再生する。
ステップＳ２１２において、再生部１７１は、再生したコンテンツに対して、評価に影響する操作がユーザにより行われたと判定した場合、ステップＳ２１３に進み、ユーザにより行われた操作に基づいて評価値を算出する。
例えば、再生部１７１は、ある記録媒体コンテンツの評価値を管理しており、その記録媒体コンテンツが、再生中において停止され、その後、停止位置から再生された場合、管理している評価値に対して１０ポイントだけ加算し、新たな評価値を算出する。
再生部１７１は、ステップＳ２１４において、ステップＳ２１３で算出した評価値とユーザＩＤ、および、評価値を算出した記録媒体コンテンツを識別する情報等を評価サーバ１２０に送信する。
ステップＳ２１５において、再生部１７１は、再生するコンテンツの切り替えが指示されたか否かを判定し、切り替えが指示されたと判定した場合、ステップＳ２１１に戻り、それ以降の処理を繰り返し実行する。
また、再生部１７１は、ステップＳ２１５において、コンテンツの切り替えが指示されていないと判定した場合、ステップＳ２１６に進み、再生処理の終了が指示されたと判定したとき、処理を終了させる。
以上のような処理により、ユーザは、ＤＶＤ等の記録媒体に記録されているコンテンツに対する評価情報を確認することができる。
また、上述したような、受信再生装置１４１、或いは再生装置１６１において再生されるコンテンツだけでなく、例えば、様々な画像、音声などのマルチメディアデータや、プログラム、およびアプリケーションにより生成されたデータを評価サーバ１２０等に評価させるようにしてもよい。
上述した一連の処理は、ハードウエアにより実行させることもできるが、ソフトウエアにより実行させることもできる。
一連の処理をソフトウエアにより実行させる場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータ１などに、ネットワークや記録媒体からインストールされる。
この記録媒体は、図２に示すように、装置本体とは別に、ユーザにプログラムを提供するために配布される、プログラムが記録されている磁気ディスク３１（フロッピディスクを含む）、光ディスク３２（ＣＤ−ＲＯＭ，ＤＶＤを含む）、光磁気ディスク３３（ＭＤ（Ｍｉｎｉ−Ｄｉｓｋ）を含む）、もしくは半導体メモリ３４などよりなるパッケージメディアにより構成されるだけでなく、装置本体に予め組み込まれた状態でユーザに提供される、プログラムが記録されているＲＯＭ２２や、記憶部２８に含まれるハードディスクなどで構成される。
なお、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
また、本明細書において、システムとは、複数の装置により構成される装置全体を表わすものである。
産業上の利用可能性
以上のように、本発明によれば、ユーザは、より質の高いコンテンツを、容易に取得できる。
【図面の簡単な説明】
図１は、本発明を適用したネットワークシステムの構成例を示す図である。
図２は、図１のパーソナルコンピュータの内部の構成例を示すブロック図である。
図３は、図１の携帯電話機の外観の構成例を示す図である。
図４は、図１の携帯電話機の他の外観の構成例を示す図である。
図５は、図１の携帯電話機の電気的構成例を示すブロック図である。
図６は、図１のネットワークシステムの機能的構成例を示すブロック図である。
図７は、操作内容と評価値の対応例を示す図である。
図８は、図６のＷＷＷブラウザ部の処理を説明するフローチャートである。
図９は、図６のＷＷＷブラウザ部の処理を説明する図８に続くフローチャートである。
図１０は、図６の評価情報登録部の処理を説明するフローチャートである。
図１１は、図６の評価部の処理を説明するフローチャートである。
図１２は、嗜好一致度の算出方法を示す図である。
図１３は、嗜好一致度の例を示す図である。
図１４は、評価値の算出方法を示す図である。
図１５は、図６の検索部の処理を説明するフローチャートである。
図１６は、本発明を適用した他のネットワークシステムの機能的構成例を示すブロック図である。
図１７は、図１６のＷＷＷブラウザ部の処理を説明するフローチャートである。
図１８は、図１６の評価情報登録部の処理を説明するフローチャートである。
図１９は、図１６の評価部の処理を説明するフローチャートである。
図２０は、図１６の評価部の他の処理を説明するフローチャートである。
図２１は、本発明を適用したネットワークシステムの他の機能的構成例を示すブロック図である。
図２２は、操作内容と評価値の他の対応例を示す図である。
図２３は、図２１の受信再生部の処理を説明するフローチャートである。
図２４は、図２１の受信再生部の他の処理を説明するフローチャートである。
図２５は、本発明を適用したネットワークシステムのさらに他の機能的構成例を示すブロック図である。
図２６は、操作内容と評価値のさらに他の対応例を示す図である。
図２７は、図２５の再生部の処理を説明するフローチャートである。
図２８は、図２５の再生部の他の処理を説明するフローチャートである。
【図１】
2002046961.tif 000003
【図２】
2002046961.tif 000004
【図３】
2002046961.tif 000005
【図４】
2002046961.tif 000006
【図５】
2002046961.tif 000007
【図６】
2002046961.tif 000008
【図７】
2002046961.tif 000009
【図８】
2002046961.tif 000010
【図９】
2002046961.tif 000011
【図１０】
2002046961.tif 000012
【図１１】
2002046961.tif 000013
【図１２】
2002046961.tif 000014
【図１３】
2002046961.tif 000015
【図１４】
2002046961.tif 000016
【図１５】
2002046961.tif 000017
【図１６】
2002046961.tif 000018
【図１７】
2002046961.tif 000019
【図１８】
2002046961.tif 000020
【図１９】
2002046961.tif 000021
【図２０】
2002046961.tif 000022
【図２１】
2002046961.tif 000023
【図２２】
2002046961.tif 000024
【図２３】
2002046961.tif 000025
【図２４】
2002046961.tif 000026
【図２５】
2002046961.tif 000027
【図２６】
2002046961.tif 000028
【図２７】
2002046961.tif 000029
【図２８】
2002046961.tif 000030
【国際調査報告】
2002046961.tif 000031
2002046961.tif 000032
2002046961.tif 000033
2002046961.tif 000034